(57)【特許請求の範囲】
【請求項１】
スクイズ変形可能な有底筒体の把持し易い箇所に押圧操作部（３）  を形成した胴部（２）  の上端に、口筒部（４）  を起立連設した容器本体（１）  と、前記口筒部（４）  に不動に組付くキャップ本体（９）  の注出口（１３）を開設した中心部から、筒壁に窓孔（１１）を開設した組付き筒部（１２）を垂下連設し、前記キャップ本体（８）  に前記注出口（１３）を開閉する蓋体（１０）を組付けたキャップ体（８）  と、前記容器本体（１）  内に挿入され、少なくとも前記押圧操作部（３）  に対向する位置に当接部（７）  を有し、上端部である嵌着棒状部（６）  で前記組付き筒部（１２）に嵌入固定されたスクイズ変形し難い規制片（５）  と、から成る液体注出容器。
【請求項２】
押圧操作部（３）  を、容器本体（１）  の胴部（２）  の筒壁を、球弧殻状に湾曲陥没させて形成した請求項１記載の液体注出容器。
【請求項３】
押圧操作部（３）  を、容器本体（１）  の胴部（２）  の筒壁を、波板状にして形成した請求項１記載の液体注出容器。
【請求項４】
押圧操作部（３）  を、容器本体（１）  の胴部（２）  に陥没形成された凹状押圧部（１４）と、該凹状押圧部（１４）に不動に嵌着された硬質材製の押しプレート（１５）とで構成した請求項１記載の液体注出容器。
【請求項５】
押圧操作部（３）  を、上下に分けて複数組設けた請求項１または２または３または４記載の液体注出容器。
【請求項６】
複数組設けた押圧操作部（３）  と規制片（５）  の当接部（７）  との間隔を、前記各押圧操作部（３）  毎に異なる値に設定した請求項５記載の液体注出容器。
【請求項７】
複数組設けた押圧操作部（３）  の陥没深さを、各組毎に異なる値に設定して、前記各押圧操作部（３）  と規制片（５）  との間隔を異なる値に設定した請求項６記載の液体注出容器。
【請求項８】
規制片（５）  の当接部（７）  の横幅を、複数組設けた各押圧操作部（３）  に対向する部分毎に異なる値に設定して、前記各押圧操作部（３）  と規制片（５）  との間隔を異なる値に設定した請求項６または７記載の液体注出容器。
【請求項９】
キャップ本体（９）  と蓋体（１０）とをヒンジ（１６）により結合し、前記蓋体（１０）に前記キャップ本体（９）  の注出口（１３）に密に嵌入する栓片（１７）を設けた請求項１または２または３または４または５または６または７または８記載の液体注出容器。
【請求項１０】
押圧操作部（３）  を、容器本体（１）  の胴部（２）  の上端（２１）から該押圧操作部（３）  の中心までの距離（Ｌ）  が、前記胴部（２）  の高さ（Ｈ）  の２／３である設定距離（Ｄ）  以内に位置させた請求項１または２または３または４または５または６または７または８または９記載の液体注出容器。
【請求項１１】
規制片（５）  の下端に、下方に幅狭となるテーパ片（１８）を垂下連設した請求項１または２または３または４または５または６または７または８または９または１０記載の液体注出容器。
【発明の詳細な説明】
【０００１】
【産業上の利用分野】
本発明は、スクイズ性を利用して内容液を注出する合成樹脂製壜容器に関するものである。
【０００２】
【従来の技術】
胴部を把持した指先での押圧により、この胴部をスクイズ変形させてシャンプーやリンス等の内容液を注出する合成樹脂製の液体注出壜容器が知られている。
【０００３】
このスクイズ性を有する液体注出容器は、小さな注出口を有するキャップまたは中栓を容器本体の口筒部に組付け、容器本体を略倒立させた状態で、容器本体の胴部を押圧してスクイズ変形させ、この胴部のスクイズ変形により容器本体内に発生する正圧によって、内容液を注出口から整流状態で注出し、注出する内容液の量は、胴部に対する押圧操作に従ったスクイズ変形量により調整されるものとなっている。
【０００４】
【発明が解決しようとする課題】
従来のスクイズ性を利用した液体注出容器は、内容液の注出操作が簡単で、その取扱いが容易であると云う利点を持っているのであるが、胴部に対する指先での押圧程度を一定化させることが困難であるため、一回の注出操作による内容液の注出量が一定せず、注出操作の度に使用する内容液の過不足が発生する場合が多いと云う問題があった。
【０００５】
一回の注出操作による内容液の注出量を一定化する手段としては、注出ポンプを組付けた容器が利用されているが、この種の容器は、高価な注出ポンプを必要とするので、その分、容器の価格が高くなるだけではなく、携帯が不可能となると云う新たな問題が生じるものとなっていた。
【０００６】
そこで、本発明は、上記した従来技術における問題点を解消すべく創案されたもので、スクイズ変形を利用した内容液の注出において、一回の注出操作による内容液の注出量を定量化させることを技術的課題とし、もって内容液の好適な使用状況を得ると共に、容器の快適な使用状態を得ることを目的とする。
【０００７】
【課題を解決するための手段】
上記技術的課題を解決する本発明のうちで、請求項１記載の発明の手段は、
スクイズ変形可能な有底筒体の把持し易い箇所に押圧操作部を形成した胴部の上端に、口筒部を起立連設した容器本体を有すること、
この容器本体の口筒部に不動に組付くキャップ本体の注出口を開設した中心部から、筒壁に窓孔を開設した組付き筒部を垂下連設し、キャップ本体に注出口を開閉する蓋体を組付けたキャップ体を有すること、
容器本体内に挿入され、少なくとも容器本体の押圧操作部に対向する位置に当接部を有し、上端部である嵌着棒状部でキャップ本体の組付き筒部に嵌入固定されたスクイズ変形し難い規制片を有すること、
にある。
【０００８】
請求項２記載の発明は、請求項１記載の発明における押圧操作部を、容器本体の胴部の筒壁を、球弧殻状に湾曲陥没させて形成したものである。
【０００９】
請求項３記載の発明は、請求項１記載の発明における押圧操作部を、容器本体の胴部の筒壁を、波板状にして形成したものである。
【００１０】
請求項４記載の発明は、請求項１記載の発明における押圧操作部を、容器本体の胴部に陥没形成された凹状押圧部と、この凹状押圧部に不動に嵌着された硬質材製の押しプレートとで構成したものである。
【００１１】
請求項５記載の発明は、請求項１から４記載の発明における押圧操作部を、上下に分けて複数組設けたものである。
【００１２】
請求項６記載の発明は、請求項５記載の発明において、複数組設けた押圧操作部と規制片の当接部との間隔を、各押圧操作部毎に異なる値に設定したものである。
【００１３】
請求項７記載の発明は、請求項６記載の発明において、複数組設けた押圧操作部の陥没深さを、各組毎に異なる値に設定して、各押圧操作部と規制片との間隔を異なる値に設定したものである。
【００１４】
請求項８記載の発明は、請求項６記載した発明において、規制片の当接部の横幅を、複数組設けた各押圧操作部に対向する部分毎に異なる値に設定して、各押圧操作部と規制片との間隔を異なる値に設定したものである。
【００１５】
請求項９に記載の発明は、請求項１から８に記載の発明において、キャップ本体と蓋体とをヒンジにより結合し、蓋体にキャップ本体の注出口に密に嵌入する栓片を設けて構成したものである。
【００１６】
請求項１０記載の発明は、請求項１から９記載の発明における押圧操作部を、容器本体の胴部の上端から、この押圧操作部の中心までの距離が、胴部の高さの２／３である設定距離以内に位置させたものである。
【００１７】
請求項１１記載の発明は、請求項１から１０記載の発明において、規制片の下端に、下方に幅狭となるテーパ片を垂下連設したものである。
【００１８】
【作用】
請求項１記載の発明は、キャップ体を開放した後、容器本体を略倒立させた状態で、容器本体の胴部の押圧操作部を指先で押圧して、この押圧操作部が規制片の当接部に突き当たるまで容器本体の胴部をスクイズ変形させ、この胴部のスクイズ変形による容器本体内の内圧の正圧化により、容器本体内の内容液を窓孔および注出口を通して注出する。
【００１９】
この内容液の注出動作時において、容器本体の胴部のスクイズ変形は、押圧操作部が規制片の当接部に突き当たる状態で規制され、かつ規制片はスクイズ変形し難いものであるので、容器本体の胴部のスクイズ変形量は、押圧操作部を規制片に突き当たるまで押圧することにより略一定値となり、これにより押圧操作部を規制片に突き当たるまで押圧する一回の操作による内容液の注出量は、略一定値となり、定量注出動作を得ることができる。
【００２０】
注出操作完了後は、押圧操作部に対する押圧力を取り去ると、胴部の弾性復帰に伴って容器本体内に発生した負圧により、外気が容器本体内に吸引され、容器本体内の負圧を消滅させ、次の注出に備えることになる。
【００２１】
請求項２記載の発明は、請求項１記載の発明の押圧操作部を、規制片の当接部を挟んで対向する箇所に、湾曲陥没した球弧殻状に形成して構成したので、押圧操作部の位置の認識が容易となり、また押圧操作部と規制片との間の間隔を、容器本体の胴部の平断面形状に制限されることなく、所望値に設定することが可能となる。
【００２２】
請求項３記載の発明は、請求項１記載の発明における押圧操作部を、規制片の当接部を挟んで対向する箇所に、波板状に設けて構成したので、指先の感触で押圧操作部の位置を正確に確認することができると共に、指先での押圧操作を滑ることなく円滑に達成できる。
【００２３】
請求項４記載の発明は、請求項１記載の発明における押圧操作部を、規制片の当接部を挟んで対向する箇所に、容器本体の胴部に陥没成形した凹状押圧部と、その凹状押圧部に組付く、容器本体とは別体物である押しプレート片とで構成したので、押しプレートを容器本体と異色にする等して、押圧操作部の位置の識別が容易となり、また押しプレートの大きさに応じて一回の内容液注出量を調整設定することが可能となる。
【００２４】
請求項５記載の発明は、請求項１から４記載の発明における押圧操作部を、上下に分けて複数組設けたので、内容液注出操作時における容器本体の把持処理の自由度が高くなる。
【００２５】
請求項６から８記載の発明は、請求項５記載の発明の複数組設けた押圧操作部と規制片の当接部との間隔を、各押圧操作部毎に異なる値に設定して構成したので、各押圧操作部毎に胴部のスクイズ変形量、すなわち内容液の注出量を異なる一定値に設定することができ、これにより一回の定量注出量を、押圧する押圧操作部を選ぶことにより、選択することが可能となる。
【００２６】
請求項９記載の発明は、請求項１から８記載の発明において、キャップ体のキャップ本体と蓋体とをヒンジにより結合したので、容器本体の開閉操作が容易となり、また蓋体にキャップ本体の注出口に密に嵌入する栓片を設けたので、密閉効果を高めることができる。
【００２７】
請求項１０記載の発明は、請求項１から９記載の発明における押圧操作部を、容器本体の胴部の上端から、押圧操作部の中心までの長さが、容器本体の胴部の高さの２／３である設定距離以内に位置させたので、容器本体の胴部を片手で把持し、その片手の指先で押圧操作部を押圧して内溶液を注出する際に、容器本体の安定した把持を維持した状態で、押圧操作部の指先による押圧操作を、無理なく好適に達成することができる
【００２８】
請求項１１記載の発明は、請求項１から１０記載の発明において、規制片の下端に、下方に幅狭となるテーパ片を垂下連設したので、その規制片とテーパ筒体との一体物の下端の横幅は、容器本体の口筒部の内径よりも大幅に小さくなり、よって規制片（とテーパ片との一体物）の容器本体内への挿入組付けが、容易にかつ円滑に達成できる。
【００２９】
【実施例】
本発明の一実施例を、図１および図２を参照しながら説明する。
図１は、右半分を縦断した全体図を示すものである。容器本体１は、ポリエチレン樹脂や塩化ビニール樹脂等の比較的軟質な合成樹脂材料により壜体状にブロー成形され、スクイズ変形可能な有底筒形状となった胴部２の上端に、外周面に螺条を刻設した口筒部４を起立連設して構成されている。
【００３０】
容器本体胴部２の中央部から上部にかけての把持し易い箇所には、押圧操作部３が対向形成されており、キャップ体８を開状態とし容器本体１をほぼ逆立姿勢とした後、この対向する二つの押圧操作部３を、指先で挟むようにして規制片５の当接部７に当接するまで押圧することによって、一定量の内溶液を注出することができるものである。
【００３１】
なお、本実施例においては、押圧操作部３は一対のみしか形成していないが、例えば、図１１に示すように、上位に湾曲陥没程度の大きい第一の押圧操作部３を設けると共に、下位に湾曲陥没程度の小さい第二の押圧操作部３を設けることにより、規制片５の当接部７との間の間隔は、第一の押圧操作部３に比べて第二の押圧操作部３の方が大きくなるので、第一の押圧操作部３に比べて第二の押圧操作部３の方が大きい定量注出となる。
【００３２】
また、図１２に示すように、規制片５の当接部７の横幅を、複数組設けた各押圧操作部３に対向する部分毎に異なる値に設定して、各押圧操作部３と規制片５との間隔を異なる値に設定した場合も、同様の効果を得ることができる。
【００３３】
本実施例における規制片５は、図３に示すように、その上端部にキャップ体８の組付き筒部１２に抜け出し不能に強固に嵌入組付きする嵌着棒状部６およびそれより幅太の係合部２０を有しており、規制片５の下端部には対向する一対の当接部７が連設部を介して設けられている。
【００３４】
嵌着棒状部６は四角柱形状で（キャップ体８の組付き筒部１２もそれに対応した四角枠体形状である）、その対向する平面部分と規制片５の当接部７とは同一方向に向けて形成されており、嵌着棒状部６を組付き筒部１２に組付けることによって、必然的に当接部７の正確な組付けが達成される。
【００３５】
規制片５の形態は、その上端部がキャップ体８に不動に組付き、かつ押圧操作部３が当接する当接部７を有するものであれば、限定されず、例えば、図４や図５に示すものが考えられる。
【００３６】
図４に示す規制片５は、その当接部７を円筒状（又は丸棒状）としており、この場合、その円筒部分のどの箇所を当接部７としても良いので、当接部７の位置設定が容易となり、図５に示す規制片５は、当接部７を枠体で形成したもので、その向きは四角柱形状の嵌着棒状部６の平面部分の向きと同一に設定される。
【００３７】
キャップ体８は、口筒部４に外装して密に螺合する有頂円筒形状体の頂板中央に注出口１３を開設したキャップ本体９と、このキャップ本体９にヒンジ１６により結合され、下面中央に、注出口１３に密嵌入する栓片１７を垂下設した蓋体１０とから構成され、キャップ本体９の注出口１３下側口縁からは、内溶液が通過する窓孔１１を筒壁に開設して、規制片５の嵌着棒状部６が嵌入組付きする組付き筒部１２を垂下連設している。
【００３８】
本発明の他の実施例を、図６から図８に示す。
本実施例における液体注出容器の規制片５の当接部７は、図８に示すように、円筒状で四つの連設部１９を介して形成しており、本実施例の特徴は、その規制片５の下端に、下方に向かって幅狭となるテーパ片１８を垂下連設していることである。
【００３９】
こうした構成とすることによって、規制片５とテーパ片１８との一体物の下端の横幅を容器本体口筒部４の内径より大幅に小さくし、このテーパ片１８を規制片５を容器本体１内に挿入する際のガイドとして機能させることにより、この一体物の容器本体１内への挿入を容易なものとすることができる。
【００４０】
なお、上記いずれの実施例においても、押圧操作部３を、容器本体１の胴部２の上端２１からその中心までの長さＬが、胴部２の高さＨの２／３である設定距離Ｄ以内に位置させているので、指先で押圧操作部３を押圧する片手での容器本体１の把持を安定して達成でき、良好な使用状況を得ることができる。
【００４１】
ちなみに、長さＬが設定距離Ｄ以内でないと（すなわち、押圧操作部３を容器本体胴部２の下端部分に形成すると）、指先で押圧操作部３を押圧する片手での容器本体１の把持が不安定となり、内容液の注出操作が困難となる。
【００４２】
図９は、押圧操作部３を、規制片５を挟んで対向する箇所に、容器本体１の胴部２に形成した凹状押圧部１４と、その凹状押圧部１４に組付く押しプレート片１５とで構成したもので、押しプレート片１５はその裏面中央に突起を設け、この突起を凹状押圧部１４の中央に陥没設された穴部に強固に嵌合させることにより凹状押圧部１４に組付けられるものとなっている。
【００４３】
図１０は、本発明の液体注出容器において、その押圧操作部３を、規制片５を挟んで対向する箇所に波板状に設けたもので、横波状に設けることにより、指先の引っ掛かりを良くするようにしている。
【００４４】
【発明の効果】
本発明は、上記した構成となっているので、以下に示す効果を奏する。
請求項１記載の発明においては、押圧操作部を規制片の当接部に突き当たるまで押圧する一回の操作による内容液の注出量は、略一定値となり、これにより胴部に対する単純な押圧操作だけで、定量注出動作を得ることができる。
【００４５】
請求項２と３記載の発明においては、押圧操作部の位置の認識が容易となり、また押圧操作部と規制片との間の間隔を、容器本体の胴部の平断面形状に制限されることなく、所望値に設定することが可能となる。
【００４６】
請求項４に記載の発明においては、押圧操作部の機械的強度が高くなり、よって当該押圧操作部を押圧することによる容器本体胴部のスクイズ変形がさらに容易に達成される。
【００４７】
請求項５から８に記載の発明においては、一回の定量注出量を選択することが可能となる。
【００４８】
請求項９に記載の発明においては、容器本体の開閉操作が容易となると共に、密閉効果を高めることができる。
【００４９】
請求項１０に記載の発明においては、押圧操作部を指先で押圧して内溶液を注出する際に、容器本体を安定姿勢に維持することができる。
【００５０】
請求項１１に記載の発明においては、規制片（とテーパ片との一体物）を、容器本体内へ容易に挿入組付けすることができる。
【図面の簡単な説明】
【図１】本発明の一実施例を示す、半縦断した全体側面図。
【図２】図１に示した実施例の、半縦断した全体正面図。
【図３】本発明に係る規制片の一実施例を示す斜視図。
【図４】本発明に係る規制片の他の実施例を示す斜視図。
【図５】本発明に係る規制片の他の実施例を示す斜視図。
【図６】本発明の他の実施例を示す、半縦断した全体側面図。
【図７】図６に示した実施例の、半縦断した全体正面図。
【図８】図６のＡ−Ａ線断面図。
【図９】本発明に係る押圧操作部と規制片との関係の一実施例を示す部分断面図。
【図１０】本発明に係る押圧操作部と規制片との関係の他の実施例を示す部分断面図。
【図１１】本発明に係る押圧操作部と規制片との関係の他の実施例を示す部分断面図。
【図１２】本発明に係る押圧操作部と規制片との関係の他の実施例を示す部分断面図。
【符号の説明】
１  ；  容器本体
２  ；  胴部
３  ；  押圧操作部
４  ；  口筒部
５  ；  規制片
６  ；  嵌着棒状部
７  ；  当接部
８  ；  キャップ体
９  ；  キャップ本体
１０；  蓋体
１１；  窓孔
１２；  組付き筒部
１３；  注出口
１４；  凹状押圧部
１５；  押しプレート片
１６；  ヒンジ
１７；  栓片
１８；  テーパ片
１９；  連設部
２０；  係合部
２１；  外面上端
Ｗ  ；  横幅
Ｌ  ；  長さ距離
Ｈ  ；  高さ距離
Ｄ  ；  設定距離
【図１】
0003603108.tif 000002
【図２】
0003603108.tif 000003
【図３】
0003603108.tif 000004
【図４】
0003603108.tif 000005
【図５】
0003603108.tif 000006
【図６】
0003603108.tif 000007
【図７】
0003603108.tif 000008
【図８】
0003603108.tif 000009
【図９】
0003603108.tif 000010
【図１０】
0003603108.tif 000011
【図１１】
0003603108.tif 000012
【図１２】
0003603108.tif 000013